(57)【特許請求の範囲】
【請求項１】
ハウジング(10,12)内に配置されたシリンジ(28)と、
前記シリンジから用量を出すために、第1の位置から第2の位置へ移動可能な駆動部材(38)と、
注射完了を示すために磁気的に動作する指示器(44,46,48)と、を含み、
前記指示器は、2つの協働部材を含み、前記協働部材の1つは前記駆動部材に、前記協働部材のもう1つは前記ハウジングにそれぞれ結合し、前記協働部材のうちの1つは、係留部材(48)を含み、他方は、前記駆動部材及び前記ハウジングの内の1つに関して移動可能に取り付けられた磁気的に移動可能な部材(44)を含み、
前記協働部材は、前記駆動部材(38)が前記第2の位置に又はその位置の近くに達すると、聴覚的及び触覚的な注射完了指示の少なくとも1つを提供する衝撃を発生するために、磁力の影響によって、指示位置へ前記磁気的に移動可能な部材(44)を移動させるように配置されることを特徴とする注射器具。
【請求項２】
前記係留部材(48)は前記ハウジング(10,12)に結合しており、前記磁気的に移動可能な部材(44)は前記駆動部材(38)に結合していることを特徴とする請求項１に記載の注射器具。
【請求項３】
前記協働部材(44,48)の両方が磁化されていることを特徴とする請求項１または２に記載の注射器具。
【請求項４】
フェライト磁気保持部材(46)は前記駆動部材(38)に結合しており、それが前記係留部材(48)の接近のために磁力の影響下で移動されるまで、前記磁気的に移動可能な部材(44)を制止するために一時的に適用されることを特徴とする請求項２または３に記載の注射器具。
【請求項５】
前記磁気的に動作する指示器は、視覚的な注射完了の指示を生成することを特徴とする請求項１から４のいずれかに記載の注射器具。
【請求項６】
前記聴覚的指示は、前記移動可能な協働部材(44)と、前記係留された協働部材(48)と間の衝突の結果、生成されることを特徴とする請求項１から５のいずれかに記載の注射器具。
【請求項７】
前記駆動部材(38)は、前記磁気的に移動可能な協働部材(44)を受け取るため、かつ、固定側の前記協働部材(48)との磁気相互作用により概して横切る動きを可能にするための、くぼみ(42)をその上に伴うことを特徴とする請求項１から６のいずれかに記載の注射器具。
【請求項８】
前記くぼみ(42)は横方向に広がり、前記保持部材(46)は、前記固定側の協働部材に面する端部領域から隔たった端領域に配置されることを特徴とする請求項７に記載の注射器具。
【発明の詳細な説明】
【技術分野】
【０００１】
本発明は注射器具に関し、特に、だが排他的でなく、注射を行うために使い捨てのシリンジが差し込まれ、その後、次の注射のために除去され交換されるハウジングを含む再使用可能な自動注射器装置に関する。
【背景技術】
【０００２】
注射が完了した場合には、自動注射器がユーザーにその完了を示す必要がある。大部分は目に見える指示部を有しているが、時々注射サイトは見えなくなり、例えば尻か上腕において、注射サイトを見るためにある程度無理をすることが要求されるだろう。したがって、聴覚的もしくは触覚的な「注射完了」シグナルを有することは望ましい。ここで、用語「注射完了」は、薬の十分な放出が達成された状態を表すために使用される。
【発明の概要】
【０００３】
1つの態様において、本発明は、ハウジング内に配置されたシリンジと、シリンジから用量を出すために、第1の位置から第2の位置へ移動可能な駆動部材と、注射完了を示すために磁気的に動作する指示器と、を含み、指示器は、2つの協働部材を含み、協働部材の1つは駆動部材に、協働部材のもう1つはハウジングにそれぞれ結合し、協働部材のうちの1つは、係留部材を含み、他方は、駆動部材及びハウジングの内の1つに関して移動可能に取り付けられた磁気的に移動可能な部材を含み、協働部材は、駆動部材が第2の位置に又はその位置の近くに達すると、聴覚的及び触覚的な注射完了指示の少なくとも1つを提供する衝撃を発生するために、磁力の影響によって、指示位置へ磁気的に移動可能な部材を移動させるように配置される注射器具を提供する。記述された実施形態の中で、磁気的に動作する装置の使用は、少なくとも指示の生成に必要なエネルギーのうちのいくらかは、磁力(あるいは反発作用)から引き出され、メインの注射スプリングからエネルギーは、ほとんど又はまったく転用されないことを意味する。
【０００５】
上記のように、注射完了の指示は磁気的に生成される。その指示は、2つの協働部材の位置の変化によって生成される。
【０００６】
多数の異なる磁気的な構成が可能である。1つの配置において、2つの協働部材のうちの1つは係留部材を含み、また、他方は相対的に移動可能な部材を含む。したがって、係留部材は、ハウジングに結合してもよく、また、相対的に移動可能な部材は駆動部材に結合してもよい。本質的でないが、それは両方の2つの協働部材は磁気を帯びることが好ましい。
【０００７】
好ましい配置において、駆動部材は、係留磁気部材の接近により、磁力の影響下で移動されるまで、移動可能な磁気部材を抑止するために一時的にそれに結合するフェライト（ferro）磁気保持部材を有する。この方法で、磁力によって保持部材から引き離される係留部材に十分に接近するまで、軽い抑制力は、移動可能な磁気部材に印加される。
【０００８】
注射完了指示は、例えば、聴覚的指示、視覚的指示、又は、触覚的指示の1つ以上を含む様々な形式でよい。指示器が聴覚的指示を提供する場合には、これは移動可能な磁気部材と係留磁気部材(あるいはその上に関連する表面)との間の衝突の結果生成されるかもしれない。この配置において、駆動部材は、固定の磁気部材との磁気相互作用により、移動可能な部材の概して横切る動きを可能にし、相対的に移動可能な磁気部材を受け取るために、くぼみをその上に伴ってよい。くぼみは横に広がってもよく、くぼみの1つの端で、駆動部材が第2の位置にある場合には、くぼみのもう1つの端で固定の協働部材に面した保持部材を有してもよい。くぼみは、駆動アセンブリの一部を形成し、スプリングによって作用されるドラムの中に備わればよい。
【０００９】
多くの実施形態において、駆動部材がシリンジから用量を出すために直線的に移動する一方、本発明は、駆動部材の動きが非線形の配置、例えばロータリー、まで及ぶ。
【００１５】
本発明が上に記述されたが、それは、以下の明細書又は請求項上又は内に述べられた特徴の任意の創造性のある組み合わせにまで及ぶ。
【００１６】
本発明は様々な方法で実行され、添附の図面を参照して、実施形態はここでは例のみとして記述される。
【図面の簡単な説明】
【００１７】
【図１】図1は、本発明に従う自動注射器の実施形態の駆動ピストンがコック位置にある状態の断面図である。
【図２】図2は、自動注射器装置の側面図である。
【図３】図3は、図1及び2の自動注射器のシリンジが伸長し、用量が放出され、注射完了の指示を生成している状態の断面図である。
【図４】図4は、駆動ピストンをコックするためにネジが抜かれ逆にされた自動注射器の前端を示す断面図である。
【図５】図5は、図1〜4の実施形態の中で使用されるスプリング・ドラム及び定荷重スプリングを示す概略の透視図である。
【図６】図6は、シリンジが装荷され、針シースがハウジングの前端から短い長さ突き出た状態の縦方向の図である。
【図７】図7は、除去のための針シースを安全につかむ難しさを示す図である。
【図８】図8は、針シースの除去を容易にすることに適合した自動注射器の第2の実施形態の縦断面図である。
【図９】図9は、自動注射器の第2の実施形態についての縦方向の図である。
【図１０】図10は、図8及び9の実施形態に組み入れられたスプリング・フィンガーを示すハウジングの前端の部分断面詳細図である。
【図１１】図11は、スプリング・フィンガーの透視図である。
【図１２】図12及び13は、スプリング・フィンガーがシースの後ろにラッチした状態で、シースがハウジングの前端にある状態でのシリンジの挿入を示す連続図である。
【図１３】図12及び13は、スプリング・フィンガーがシースの後ろにラッチした状態で、シースがハウジングの前端にある状態でのシリンジの挿入を示す連続図である。
【図１４】図14は、図13の前端を拡大した詳細図である。
【図１５】図15及び16は、針シースの除去、及び、それに続く針とシリンジの後方への動きの連続のステップを示す。
【図１６】図15及び16は、針シースの除去、及び、それに続く針とシリンジの後方への動きの連続のステップを示す。
【発明を実施するための形態】
【００１８】
初めに、図1から5を参照すると、ねじ留め可能なねじ部14及び16を各々有する前方ハウジング部10及び後方ハウジング部12を含む自動注射器装置が図1から3に示される。前方及び後方ハウジング部は図4に明確に見られる。前方ハウジング部は、前端にシリンジ針が通して突き出ることが可能な開口20を有する係留深さ調整キャップ18を前端に備える。
【００１９】
前方ハウジング部10には、スプリング26によって後方へバイアスされ、摺動可能にシリンジ・キャリアー24を受け取る内部カラー22が備わる。シリンジ・キャリアー24は、シリンジ・プランジャー30及び針32を含むシリンジ28を受け取るよう設計された内部穴を有する。シリンジ・キャリアー24の穴は、シリンジを軽くつかむようにシリンジの一部とその前端での締まりばめとなるように設計されてよい。シリンジ・キャリアー24は、スプリング26の影響下でシリンジ・キャリアーの後方への動きを制限するリブ(不図示)を前端に備える。
【００２０】
後方ハウジング部12は、ドラム36を覆う定荷重の駆動スプリング34を含む。定荷重スプリングの外部端は、後方ハウジング部12の内部のアンカー(不図示)に固定される。ドラム36は、回転のために駆動ピストン38に搭載され、駆動ピストン38が、図1に示されるその後方の位置に移動するように、定荷重スプリングはエネルギーを与えるよう設計される。駆動ピストン38は、そのコック位置でラッチされ、任意の適切な機構によってリリースされればよいが、本実施形態では、後方ハウジング部12に備わるトリガー40により行われる。
【００２１】
ドラム36は、中にＮ極及びＳ極を有する球状のマグネット44を閉じ込めるくぼみ42を有する。くぼみ42の基礎部は、他の磁界特性がない状態で、くぼみ42の基礎部に対する球状のマグネットを保持する軟鉄保持部材46を備える。
【００２２】
後方ハウジング部12は外壁に、駆動ピストン38の動作上のストロークの前端に位置した係留・固定用のマグネット48を備える。係留マグネット48は、駆動ピストンが注射が完了した位置へ移動した場合に、係留マグネットと移動可能なマグネット44の間の磁力が、移動可能なマグネット44と保持部材46の間の引力に打ち勝つよう位置する。移動可能なマグネットの固定マグネットとの衝突の結果として生ずる「クリック」は、それ故、注射が完了したという聴覚的な指示を与える。衝撃は、さらにユーザーによって感じることが可能である触覚的な信号を生成する。
【００２３】
他の実施形態(不図示)においては、異なるタイプの聴覚的指示器、触覚的指示器又は視覚的指示器が提供されてよい。例えば、ユーザーが注射完了の指示を感じることが可能であるように、部材をハウジングへ突き出し引っ込ませる協働マグネットが備わってもよい。
【００２４】
磁気的に動作する指示器の重要な特徴は、用量を放出するメインの定荷重スプリングからエネルギーを流用しないことである。実際、エネルギーはマグネットを分離する装置の間に必要であるが、これは用量の放出に利用可能なエネルギーを著しくは減じない。
【００２５】
注射サイクルが以下に記述される。前方・後方ハウジング部のネジが抜かれ、キャップ18のノーズを使用して、前方ハウジング部を逆にし、トリガーによってラッチされるまでピストンを押し戻すことにより、駆動ピストン38は、コック位置へ押し戻される。ドラム36が後方へ移動するにつれ、球状のマグネット44は、係留マグネット48から引き離され、磁力によって保持部材46の方へ引き戻される。
【００２６】
その後、シリンジは、前方ハウジング部10のシリンジ・キャリアー24に取り付けられ、ハウジング部はともにねじで締められる。キャップは、適切な手段(下記に述べられるような)によって、この動作中に、または、その動作の後に除去される。自動注射器は、その後、図1に示される発射準備状態となる。発射においては、駆動スプリング26の影響下で、ドラム36及び駆動部分38が前進のためにリリースされ、その結果、駆動ピストン38が、用量を放出するためにシリンジ・プランジャー30を前進させる。ストロークの終わりに向かい、必要な薬物量が放出された場合には、ドラム36は、係留マグネットが保持部材により加えられるより大きな力を伴う球状マグネットを引きつけるために係留マグネットに十分に接近しており、その結果、注射完了を示す大きなかちっというクリック音が生じる。
【００２７】
図6から16を参照して、針シースの除去を促進するための配置が記述される。図6及び7で見られるように、注射前に適切なシリンジで組み立てられた場合には、代表的な針シース50は、キャップ18の前方に短い長さだけ伸長する。これは、誰かがそれを除去するために針シースを十分にしっかりと掴むためには十分ではない。したがって、針でつく負傷のリスクを伴うシリンジ・キャリアーへのシリンジの挿入の前に、ユーザーがシース50を除去して、この問題の裏をかく危険性がある。
【００２８】
従って、図8〜16で見られるように、スプリング・フィンガー52は、それに添付された前方ハウジング部またはコンポーネントにそれがつなぎ留められて備わり、内部前方に広がる。図13に見られるように、シリンジが、シリンジ・キャリアー24へ差し込まれ、シリンジ・キャリアーがスプリング26の付勢力に対して前方に押しつけられる場合には、その前端が針シース50の後方に環状のリブの後ろにラッチすることが可能であるように、スプリング・フィンガー52は設計される。スプリング・フィンガーは、つかまれ除去されることが可能であるシースのはるかに大きな部分を有してこの前方位置のシリンジ及びシースを保持する。シースがそれを離れて緩めることにより除去され、針シースとシリンジの針ハブの間の摩擦接触に打ち勝つとすぐに、針がキャップ18内に安全な状態となるように、シリンジは、スプリング26の影響下で後方へ飛び出す。装置は、以前に記述されたように、そのとき使用の準備が完了する。
【図１】
0005634987.tif 000002
【図２】
0005634987.tif 000003
【図３】
0005634987.tif 000004
【図４】
0005634987.tif 000005
【図５】
0005634987.tif 000006
【図６】
0005634987.tif 000007
【図７】
0005634987.tif 000008
【図８】
0005634987.tif 000009
【図９】
0005634987.tif 000010
【図１０】
0005634987.tif 000011
【図１１】
0005634987.tif 000012
【図１２】
0005634987.tif 000013
【図１３】
0005634987.tif 000014
【図１４】
0005634987.tif 000015
【図１５】
0005634987.tif 000016
【図１６】
0005634987.tif 000017